(57)【要約】      （修正有）【課題】バックルのような硬性の器具を用いずに肩まわりのサイズ調整を可能とするショルダーストラップを備える衣類を提供する。【解決手段】ショルダーストラップを備える衣類において、前身頃１００および後身頃の左右から伸びるショルダーストラップは自由端であり、一対のショルダーストラップの一方あるいは両方にストラップホールを有する。左前ストラップ１１０を左後ストラップホール２１１に、右前ストラップ１２０を右後ストラップホール２２１にそれぞれ通し、ストラップホール２１１、２２１に通した左前ストラップ１１０および右前ストラップ１２０に、それぞれ結び目を作る。【選択図】図１
0003213350.tif 000002
【実用新案登録請求の範囲】
【請求項１】
ショルダーストラップを備える衣類において、
前身頃および後身頃の左右から伸びる前記ショルダーストラップは自由端であり、
一対の前記ショルダーストラップの一方あるいは両方にストラップホールを有することを特徴とする衣類。
【請求項２】
前記衣類は水着であることを特徴とする請求項１に記載の衣類。
【請求項３】
前記ショルダーストラップのいくつかの形状は先端先細りであることを特徴とする請求項１または２に記載の衣類。
【考案の詳細な説明】
【技術分野】
【０００１】
本考案は、衣類に関するものであり、詳しくは、女性用、特に少女用の水着に関するものである。
【背景技術】
【０００２】
水着には、水の抵抗が少ない、全身の動きやすさ、水に濡れても透けない等、通常の衣類とは異なる特性が求められる。これらの特性を考慮して、ワンピース型の女性用水着は、一般的には身体に密着する構造となっている。
【０００３】
水着も、通常の衣類と同様に、身体に適合したサイズのものを身につけるべきである。ところが、身体のサイズは変化することがある。身体に密着しない衣類であれば、着用者の身体のサイズの変化をある程度は許容できるが、密着性の高い水着は、着用者の身体のサイズの変化の許容が困難である。
【０００４】
そこで、身体のサイズの変化に適合するように肩帯部分のサイズを調整できるワンピース型の女性用水着が公開されている。例えば、特許文献１は、肩帯の一端にバックルを設け、肩帯の長さを調節できる水着を開示している。
【先行技術文献】
【特許文献】
【０００５】
【特許文献１】特開２００３−２０５０３号公報
【考案の概要】
【考案が解決しようとする課題】
【０００６】
しかしながら、バックルで肩帯の長さを調整すると、バックルは硬性の器具であるため、バックルが着用者の肌に押しつけられる状態となり、着用者に不快感を生じさせることがある。
【０００７】
そこで、本考案は、バックルのような硬性の器具を用いずに肩まわりのサイズ調整を可能とするショルダーストラップを備える衣類を提供することを目的とする。
【課題を解決するための手段】
【０００８】
すなわち、本考案の衣類は、前記した目的を達成せんとするもので、請求項１の手段は、ショルダーストラップを備える衣類において、前身頃および後身頃の左右から伸びる前記ショルダーストラップは自由端であり、一対の前記ショルダーストラップの一方あるいは両方にストラップホールを有することを特徴とする。
【０００９】
また、請求項２の手段は、前記衣類は水着であることを特徴とする。
【００１０】
また、請求項３の手段は、前記ショルダーストラップのいくつかの形状は先端先細りであることを特徴とする。
【考案の効果】
【００１１】
本考案の衣類のショルダーストラップは、自由端である前身頃と後身頃のショルダーストラップを繋ぐことで用をなす。本考案の衣類は、ショルダーストラップをストラップホールに通すことが可能であるため、ストラップホールに通した後のショルダーストラップに結び目を作ることでショルダーストラップを繋ぐことができる。また、本考案の衣類は、ショルダーストラップの結び目の位置が任意であるため、ショルダーストラップの有効長の調整が自在である。
【００１２】
また、本考案の衣類は、特に、伸縮性と滑らかさがある素材を用いることが多い水着であれば、結び目を容易に作ることができて好適である。
【００１３】
また、本考案のショルダーストラップの形状が先端先細りであれば、ショルダーストラップをストラップホールに容易に通すことができる。
【図面の簡単な説明】
【００１４】
【図１】本考案の衣類のショルダーストラップを解いた状態の正面図である。
【図２】本考案の衣類のショルダーストラップを解いた状態の背面図である。
【図３】本考案の衣類のショルダーストラップを結んだ状態の正面図である。
【図４】本考案の衣類のショルダーストラップの結び目の拡大図である。
【図５】本考案の衣類の着用状態であり、結び目が後頸の付近にある場合の斜視図である。
【図６】本考案の衣類の着用状態であり、結び目が鎖骨の付近にある場合の斜視図である。
【図７】本考案の衣類の着用状態であり、ショルダーストラップが交差する場合の斜視図である。
【図８】本考案の衣類の着用状態であり、ホルターネック状に結んだ場合の斜視図である。
【考案を実施するための形態】
【実施例１】
【００１５】
以下、本考案について、実施するための形態を、図面にしたがって説明する。
【００１６】
図１は、本考案の衣類１の正面図である。また、図２は、本考案の衣類１の背面図である。衣類１は、ショルダーストラップを備え、前身頃１００および後身頃２００の左右から伸びるショルダーストラップは自由端である。以下、前身頃１００の左肩のショルダーストラップを左前ストラップ１１０、前身頃１００の右肩のショルダーストラップを右前ストラップ１２０、後身頃２００の左肩のショルダーストラップを左後ストラップ２１０、後身頃２００の右肩のショルダーストラップを右後ストラップ２２０とする。
【００１７】
本実施例においては、左後ストラップ２１０および右後ストラップ２２０は、ストラップホールを有する。以下、左後ストラップ２１０のストラップホールを左後ストラップホール２１１、右後ストラップ２２０のストラップホールを右後ストラップホール２２１とする。また、左前ストラップ１１０および右前ストラップ１２０の形状は先端先細りである。
【００１８】
ストラップホールの形状は特に限定されるものではないが、生地に穴を設けることを考慮すると、ストラップホールにかがり縫いを施すことが好ましい。本実施例においては、ストラップホールはボタンホール状に形成している。
【００１９】
ショルダーストラップの仕立ては特に限定されるものではないが、かがり縫いされたストラップホールに通すことを考慮すると、左前ストラップ１１０および右前ストラップ１２０は、糸目を隠すために、２枚の生地を袋縫いすることが好ましい。本実施例においては、左前ストラップ１１０および右前ストラップ１２０の形状が先端先細りとなるように、両側の袋縫いの糸目を先端部分で交差させる。また、ストラップホールを有する左後ストラップ２１０および右後ストラップ２２０は、１枚の生地からなり、左端、右端および先端をかがり縫いし、折り返して縫い合わせている。このように縫製された左前ストラップ１１０および右前ストラップ１２０は、剣先を模した意匠となり、リボン飾りなどの装飾物としての機能を併せ持つ。
【００２０】
図３は、ショルダーストラップを結んだ状態の正面図である。ショルダーストラップは、自由端である前身頃１００と後身頃２００のショルダーストラップを繋ぐことで用をなす。本実施例においては、左前ストラップ１１０を左後ストラップホール２１１に、右前ストラップ１２０を右後ストラップホール２２１に、それぞれ一対になるように通している。本実施例においては、ストラップホールに通した後の左前ストラップ１１０および右前ストラップ１２０に、それぞれ結び目を作る。
【００２１】
ここで、ストラップホールは、ショルダーストラップの結び目が通らない大きさである。本実施例においては、ストラップホールはボタンホール状であり、穴の長さが、左前ストラップ１１０および右前ストラップ１２０の幅の略半分となるように形成している。本実施例においては、先端先細りのショルダーストラップをストラップホールに容易に通すことが可能であって、ストラップホールに通した後のショルダーストラップに結び目を作ることでショルダーストラップを繋ぐことができる。左後ストラップホール２１１に通した左前ストラップ１１０および右後ストラップホール２２１に通した右前ストラップ１２０に、それぞれ結び目を作り、抜けない状態とすることで、自由端のないショルダーストラップと同等の機能を発揮する。
【００２２】
図４は、ショルダーストラップの結び目の拡大図である。結び目の種類は特に限定されるものではないが、簡便さを考慮すると、止め結びが好ましい。本実施例においても、結び目は止め結びである。止め結びでは、結び目は作る途中の輪の位置にできる。
【００２３】
図５は、衣類１の着用状態の斜視図である。本実施例においては、左後ストラップ２１０および右後ストラップ２２０の長さは、左前ストラップ１１０および右前ストラップ１２０より短く、ショルダーストラップの結び目が後頸の付近に位置している。結び目の位置は、ショルダーストラップの長さ、ストラップホールの位置および着用者の体格によって可変である。結び目の位置は、鎖骨のくぼみ付近でも肩甲骨の付近であってもよい。左前ストラップ１１０および右前ストラップ１２０の結び目の位置によって、ショルダーストラップの有効長が変化する。本実施例の衣類１は、ショルダーストラップの結び目の位置が任意であるため、ショルダーストラップの有効長の調整が自在である。
【００２４】
本考案の衣類１の種類は特に限定されるものではないが、結び目の作りやすさおよび解きやすさを考慮すると、水着であることが好ましい。特に、伸縮性と滑らかさがある素材を用いることが多い水着であれば、結び目を容易に作ることができて好適である。
【００２５】
本考案の実施態様は、本実施例の説明で示したものに限られるものではない。図６に示すとおり、前身頃１００のショルダーストラップがストラップホールを有し、そのストラップホールに後身頃２００のショルダーストラップを通し、鎖骨の付近に結び目を作る構成でもよい。ここでは、左後ストラップ２３０および右後ストラップ２４０の長さは、左前ストラップ１３０および右前ストラップ１４０より長い。左後ストラップ２３０および右後ストラップ２４０の形状は先端先細りで、２枚の生地を袋縫いしたものを用いる。ストラップホールを有する左前ストラップ１３０および右前ストラップ１４０は、１枚の生地からなり、左端、右端および先端をかがり縫いし、折り返して縫い合わせている。
【００２６】
また、対をなす前後のショルダーストラップは、前後の一方あるいは両方が左右で交差してもよい。例えば、図７で示すとおり、後身頃２００のストラップホールを有するショルダーストラップを左右で交差させた状態で、対向する前身頃１００のショルダーストラップを通してもよい。ここでは、左後ストラップ２５０に右前ストラップ１６０を、右後ストラップ２６０に左前ストラップ１５０を通して結び目を作っている。
【００２７】
また、全てのショルダーストラップがストラップホールを有し、かつ、全てのショルダーストラップの形状を先端先細りとし、前後どちらのショルダーストラップを対向するショルダーストラップのストラップホールに通すかを選択可能な構成でもよい。ストラップホールを選択可能な構成であれば、図８で示すとおり、首の後ろで前身頃１００の一方のショルダーストラップを他方のショルダーストラップのストラップホールに通して結び目を作る、いわゆるホルターネックとする態様も考えられる。また、結び目は止め結びで以外でもよく、例えば８の字結びとすることもできる。ホルターネックの場合は、後身頃２００の左右のショルダーストラップで飾り結びを作ると見栄えもよい。ここでは、左前ストラップ１７０に右前ストラップ１８０を通し、左後ストラップ２７０と右後ストラップ２８０は蝶結びとしている。全てのショルダーストラップは、ストラップホールが設けられ、形状は先端先細りで、２枚の生地を袋縫いしたものを用いる。
【産業上の利用可能性】
【００２８】
本考案の衣類は、１年で１０センチほど身長が伸びることがある７歳から１３歳くらいの成長期の少女のワンピース型水着として用いるのに好適である。しかしながら、細かなサイズの調整、例えば左右のバランスの微調整を希望する成長期を過ぎた女性のワンピース型水着としても、需要があるものと考えられる。
【符号の説明】
【００２９】
１…衣類。
１００…前身頃、１１０…左前ストラップ、１２０…右前ストラップ、１３０…左前ストラップ、１４０…右前ストラップ、１５０…左前ストラップ、１６０…右前ストラップ、１７０…左前ストラップ、１８０…右前ストラップ。
２００…後身頃、２１０…左後ストラップ、２１１…左後ストラップホール、２２０…右後ストラップ、２２１…右後ストラップホール、２３０…左後ストラップ、２４０…右後ストラップ、２５０…左後ストラップ、２６０…右後ストラップ、２７０…左後ストラップ、２８０…右後ストラップ。
【図１】
0003213350.tif 000003
【図２】
0003213350.tif 000004
【図３】
0003213350.tif 000005
【図４】
0003213350.tif 000006
【図５】
0003213350.tif 000007
【図６】
0003213350.tif 000008
【図７】
0003213350.tif 000009
【図８】
0003213350.tif 000010